(57)【要約】【課題】記録機構部の上部を開閉する開閉部が記録機構部に与える影響のうちの少なくとも一つに配慮された記録装置を提供する。【解決手段】記録装置は、被記録媒体に記録を行う記録手段を備える記録機構部と、前記記録機構部の上部において前記記録機構部に対し回動可能に連結され、回動することにより前記記録機構部の上部を開閉する開閉部と、を備え、前記記録機構部は、複数のフレームが接続されて成るメインアセンブリ体と、前記メインアセンブリ体より外側の領域に配置され、前記開閉部が回動可能に連結されるとともに前記開閉部を支持する開閉部支持フレームと、前記開閉部支持フレームに配置され、前記記録機構部の外観を構成する外装部材と、を備えて成る。【選択図】図６
2017121713.tif 000002
【特許請求の範囲】
【請求項１】
被記録媒体に記録を行う記録手段を備える記録機構部と、
前記記録機構部の上部において前記記録機構部に対し回動可能に連結され、回動することにより前記記録機構部の上部を開閉する開閉部と、を備え、
前記記録機構部は、複数のフレームが接続されて成るメインアセンブリ体と、
前記メインアセンブリ体より外側の領域に配置され、前記開閉部が回動可能に連結されるとともに前記開閉部を支持する開閉部支持フレームと、
前記開閉部支持フレームに配置され、前記記録機構部の外観を構成する外装部材と、を備えて成る、
ことを特徴とする記録装置。
【請求項２】
請求項１に記載の記録装置において、前記開閉部支持フレームは、開口部を有する枠状体として構成されている、
ことを特徴とする記録装置。
【請求項３】
請求項１または請求項２に記載の記録装置において、前記メインアセンブリ体は、被記録媒体を搬送する搬送手段及び前記記録手段を備える、
ことを特徴とする記録装置。
【請求項４】
請求項３に記載の記録装置において、前記記録機構部は、前記メインアセンブリ体が載置される、前記メインアセンブリ体の下側に設けられるボトムフレームを備え、
前記開閉部支持フレームは、下端部が前記ボトムフレームに支持される、
ことを特徴とする記録装置。
【請求項５】
請求項４に記載の記録装置において、前記ボトムフレームは、前記メインアセンブリ体の底面形状に倣う弾性を有する、
ことを特徴とする記録装置。
【請求項６】
請求項１から請求項５のいずれか一項に記載の記録装置において、前記記録機構部は、前記記録手段から被記録媒体に向けて吐出する液体を収容する液体収容部を備え、
前記液体収容部は、前記開閉部支持フレームに支持される、
ことを特徴とする記録装置。
【請求項７】
請求項１から請求項６のいずれか一項に記載の記録装置において、前記開閉部は、原稿を読み取る読み取り機構部と、前記読み取り機構部に原稿を自動給送する給送機構部とを備えて成る、
ことを特徴とする記録装置。
【発明の詳細な説明】
【技術分野】
【０００１】
本発明は、被記録媒体に記録を行う記録手段を備える記録機構部と、前記記録機構部の上部において前記記録機構部に対し回動可能に連結され、回動することにより前記記録機構部の上部を開閉する開閉部と、を備えた記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録機構部の本体上部に、スキャナユニットが設けられている（特許文献１参照）。
【０００３】
スキャナユニットは、記録機構部に対して回動可能に設けられ、回動することにより、開姿勢と閉姿勢とを切り換え可能となっている。スキャナユニットは、通常使用時には閉姿勢で保持されるが、例えば記録機構部の内部で紙ジャムが生じた場合のジャム処理の際や、インクカートリッジ交換、その他メンテナンス等の際に、スキャナユニットが開かれる様になっている（特許文献２参照）。
【先行技術文献】
【特許文献】
【０００４】
【特許文献１】特開２０１５−７９０４０号公報
【特許文献２】特開２００５−１８９５５２号公報
【発明の概要】
【発明が解決しようとする課題】
【０００５】
スキャナユニットは重量物であり、開閉に際してはその下側の記録機構部に荷重が掛かる為、記録機構部に悪影響を及ぼす場合がある。例えば、記録機構部の外観を構成する筐体（外装部材）を変形させて外観を損ねたり、用紙を搬送する搬送機構を支持するフレームを変形させて搬送精度を低下させたりする虞がある。
【０００６】
そこで本発明はこの様な状況に鑑みなされたものであり、その目的は、記録機構部の上部を開閉する開閉部が記録機構部に与える影響のうちの少なくとも一つに配慮された記録装置を提供することにある。
【課題を解決するための手段】
【０００７】
上記課題を解決する為の、本発明の第１の態様に係る記録装置は、被記録媒体に記録を行う記録手段を備える記録機構部と、前記記録機構部の上部において前記記録機構部に対し回動可能に連結され、回動することにより前記記録機構部の上部を開閉する開閉部と、を備え、前記記録機構部は、複数のフレームが接続されて成るメインアセンブリ体と、前記メインアセンブリ体より外側の領域に配置され、前記開閉部が回動可能に連結されるとともに前記開閉部を支持する開閉部支持フレームと、前記開閉部支持フレームに配置され、前記記録機構部の外観を構成する外装部材と、を備えて成ることを特徴とする。
【０００８】
本態様によれば、前記記録機構部は、複数のフレームが接続されて成るメインアセンブリ体と、前記メインアセンブリ体より外側の領域に配置され、前記開閉部が回動可能に連結されるとともに前記開閉部を支持する開閉部支持フレームと、前記開閉部支持フレームの外側に配置され、前記記録機構部の外観を構成する外装部材と、を備えて成る為、前記開閉部の開閉に伴う荷重を前記開閉部支持フレームが受けることとなり、その結果、前記開閉部の開閉に伴う前記外装部材の変形を抑制し、或いは防止することができる。また同様に、前記開閉部の開閉に伴う前記メインアセンブリ体の変形を抑制し、或いは防止することができる。
【０００９】
本発明の第２の態様は、第１の態様において、前記開閉部支持フレームは、開口部を有する枠状体として構成されていることを特徴とする。  
本態様によれば、前記開閉部支持フレームは、開口部を有する枠状体として構成されているので、前記開口部を介して装置内部のメンテナンスを行うことができ、即ち装置のメンテナンス性が向上する。
【００１０】
本発明の第３の態様は、第１のまたは第２の態様において、前記メインアセンブリ体は、被記録媒体を搬送する搬送手段及び前記記録手段を備えることを特徴とする。
【００１１】
本態様によれば、前記メインアセンブリ体は、被記録媒体を搬送する搬送手段及び前記記録手段を備えるので、前記開閉部の開閉に伴う荷重が前記メインアセンブリ体に加わらず、或いは加わってもその影響を抑制できる結果、前記開閉部の開閉に拘わらず、良好な記録品質を維持することができる。
【００１２】
本発明の第４の態様は、第３の態様において、前記記録機構部は、前記メインアセンブリ体が載置される、前記メインアセンブリ体の下側に設けられるボトムフレームを備え、前記開閉部支持フレームは、下端部が前記ボトムフレームに支持されることを特徴とする。
【００１３】
本態様によれば、前記記録機構部は、前記メインアセンブリ体を載置する、前記メインアセンブリ体の下側に設けられるボトムフレームを備え、前記開閉部支持フレームは、下端部が前記ボトムフレームに支持されるので、より確実に、前記開閉部の開閉に伴う荷重の、前記メインアセンブリ体への影響を抑制できる。
【００１４】
本発明の第５の態様は、第４の態様において、前記ボトムフレームは、前記メインアセンブリ体の底面形状に倣う弾性を有することを特徴とする。  
本態様によれば、前記ボトムフレームは、前記メインアセンブリ体の底面形状に倣う弾性を有するので、前記ボトムフレームの部品精度が前記メインアセンブリ体に悪影響を及ぼさず、或いは悪影響を抑制できる。その結果、良好な記録品質を得ることができる。
【００１５】
本発明の第６の態様は、第１から第５の態様のいずれかにおいて、前記記録機構部は、前記記録手段から被記録媒体に向けて吐出する液体を収容する液体収容部を備え、前記液体収容部は、前記開閉部支持フレームに支持されることを特徴とする。
【００１６】
本態様によれば、前記記録機構部は、前記記録手段から被記録媒体に向けて吐出する液体を収容する液体収容部を備え、前記液体収容部は、前記開閉部支持フレームに支持されるので、重量物である前記液体収容部が前記開閉部支持フレームに支持されることで、前記液体収容部を外装部材で支持する構成に比して、外装部材を軽量化できる。
【００１７】
本発明の第７の態様は、第１から第６の態様のいずれかにおいて、前記開閉部は、原稿を読み取る読み取り機構部と、前記読み取り機構部に原稿を自動給送する給送機構部とを備えて成ることを特徴とする。
【図面の簡単な説明】
【００１８】
【図１】本発明に係るプリンターの外観斜視図。
【図２】本発明に係るプリンターにおける被記録媒体の搬送経路を示す側断面図。
【図３】プリンターにおいて左側面の外装部材を取り外した状態を示す斜視図。
【図４】プリンターにおいて右側面の外装部材を取り外した状態を示す斜視図。
【図５】記録機構部に対してスキャナ部を回動させた状態を示す斜視図。
【図６】記録機構部における装置内部を示す斜視図。
【図７】記録機構部におけるメインアセンブリ体及びスキャナ部支持フレームを装置前面側から見た斜視図。
【図８】記録機構部におけるメインアセンブリ体及びスキャナ部支持フレームを装置背面側から見た斜視図。
【図９】記録機構部を構成する複数のフレーム部材の分解斜視図。
【図１０】メインアセンブリ体の斜視図。
【図１１】メインアセンブリ体を構成する複数のフレーム部材の分解斜視図。
【図１２】メインアセンブリ体を構成する複数のフレーム部材の分解斜視図。
【図１３】メインアセンブリ体を構成する複数のフレーム部材の分解斜視図。
【図１４】スキャナ部支持フレームの斜視図。
【図１５】スキャナ部支持フレームの斜視図。
【図１６】スキャナ部支持フレームの分解斜視図。
【図１７】スキャナ部支持フレームとボトムフレームとの接続状態を示す斜視図。
【図１８】装置前面側におけるメインアセンブリ体とスキャナ部支持フレームとの接続状態を示す斜視図。
【図１９】装置背面側におけるメインアセンブリ体とスキャナ部支持フレームとの接続状態を示す斜視図。
【図２０】スキャナ部支持フレーム、外装部材及びインク収容体格納部との関係を示す分解斜視図。
【図２１】スキャナ部支持フレームに支持されたインク収容体格納部に格納されたインク収容体の状態を示す側面図。
【発明を実施するための形態】
【００１９】
以下、本発明の実施の形態を図面に基づいて説明する。尚、各実施例において同一の構成については、同一の符号を付し、最初の実施例においてのみ説明し、以後の実施例においてはその構成の説明を省略する。
【００２０】
図１は本発明に係るプリンターの外観斜視図であり、図２は本発明に係るプリンターにおける被記録媒体の搬送経路を示す側断面図であり、図３はプリンターにおいて左側面の外装部材を取り外した状態を示す斜視図であり、図４はプリンターにおいて右側面の外装部材を取り外した状態を示す斜視図であり、図５は記録機構部に対してスキャナ部を回動させた状態を示す斜視図である。
【００２１】
また、図６は記録機構部における装置内部を示す斜視図であり、図７は記録機構部におけるメインアセンブリ体及びスキャナ部支持フレームを装置前面側から見た斜視図であり、図８は記録機構部におけるメインアセンブリ体及びスキャナ部支持フレームを装置背面側から見た斜視図であり、図９は記録機構部を構成する複数のフレーム部材の分解斜視図であり、図１０はメインアセンブリ体の斜視図である。
【００２２】
また、図１１はメインアセンブリ体を構成する複数のフレーム部材の分解斜視図であり、図１２はメインアセンブリ体を構成する複数のフレーム部材の分解斜視図であり、図１３はメインアセンブリ体を構成する複数のフレーム部材の分解斜視図であり、図１４はスキャナ部支持フレームの斜視図であり、図１５はスキャナ部支持フレームの斜視図である。
【００２３】
また、図１６はスキャナ部支持フレームの分解斜視図であり、図１７はスキャナ部支持フレームとボトムフレームとの接続状態を示す斜視図であり、図１８は装置前面側におけるメインアセンブリ体とスキャナ部支持フレームとの接続状態を示す斜視図であり、図１９は装置背面側におけるメインアセンブリ体とスキャナ部支持フレームとの接続状態を示す斜視図であり、図２０はスキャナ部支持フレーム、外装部材及びインク収容体格納部との関係を示す分解斜視図であり、図２１はスキャナ部支持フレームに支持されたインク収容体格納部に格納されたインク収容体の状態を示す側面図である。
【００２４】
また、各図において示すＸ−Ｙ−Ｚ座標系はＸ方向がスキャナ部の給送機構部における原稿の送り方向であるとともに記録装置の幅方向、Ｙ方向が読み取り機構部における主走査方向であるとともに記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２５】
■■■実施例の説明■■■■
＜＜＜プリンターの概要＞＞＞
図１を参照するに、本実施例に係る「記録装置」としてのプリンター１０は、装置本体を構成する記録機構部１２と、記録機構部１２の上方に配置され、記録機構部１２に対して回動可能な「開閉部」としてのスキャナ部１４と、記録機構部１２の装置幅方向の右側面及び左側面にそれぞれ配置されたインク収容体格納部１６Ａ、１６Ｂとを備えている。
【００２６】
記録機構部１２は、下部に被記録媒体Ｐ（図２参照）を収容し、記録機構部１２に対して着脱可能な媒体収容部１８が設けられている。また、記録機構部１２の前面側には、排出口２０が設けられている。そして、媒体収容部１８の上部には、排出口２０から排出された被記録媒体を受ける排出トレイ２２が設けられている。
【００２７】
更に、図２を参照しつつ、記録機構部１２における被記録媒体Ｐの搬送経路について説明する。記録機構部１２内には、キャリッジ２４が図示しない駆動手段により装置幅方向（図２における紙面方向）に沿って往復動可能に構成されている。そして、キャリッジ２４の下部には被記録媒体に向けてインクを吐出する、「記録手段」としての記録ヘッド２５が設けられている。尚、図２における太い実線は被記録媒体Ｐの搬送経路を示している。
【００２８】
本実施例において記録機構部１２内には、媒体収容部１８に収容された被記録媒体Ｐを記録ヘッド２５と対向する領域に搬送し、被記録媒体Ｐに向けて記録ヘッド２５からインクが吐出されて記録が実行された後、被記録媒体Ｐを排出トレイ２２に向けて搬送する搬送手段２６が設けられている。
【００２９】
本実施例において搬送手段２６は、給送ローラー２８、２８、第１搬送ローラー３０、第２搬送ローラー３２、搬送従動ローラー３４、３４、３４、３４、搬送ローラー対３６及び排出ローラー対３８を備えている。本実施例において、搬送ローラー対３６は、搬送駆動ローラー３６ａと、搬送従動ローラー３６ｂとを備えている。また、排出ローラー対３８は、排出駆動ローラー３８ａと、排出従動ローラー３８ｂとを備えている。本実施例において、搬送駆動ローラー３６ａ及び排出駆動ローラー３８ａは軸状部材として構成されている。
【００３０】
そして、被記録媒体Ｐの搬送経路に沿って給送ローラー２８、２８、第１搬送ローラー３０、第２搬送ローラー３２、搬送ローラー対３６及び排出ローラー対３８の順番に設けられている。搬送従動ローラー３４は、第１搬送ローラー３０又は第２搬送ローラー３２の回りに配置され、第１搬送ローラー３０又は第２搬送ローラー３２と当接して、搬送されてきた被記録媒体Ｐをニップして搬送ローラー対３６に向けて搬送する。
【００３１】
また、再度図１を参照するに、一例としてインク収容体格納部１６Ａ（装置幅方向左側）には、「液体」としての黒色のインクを収容する、「液体収容部」としてのインク収容体４０（図２１参照）が格納され、インク収容体格納部１６Ｂ（装置幅方向右側）にはマゼンタ、イエロー、シアンの各色のインクにそれぞれ対応する複数のインク収容体（不図示）が格納されている。そして、本実施例では各インク収容体から記録ヘッド２５に対してインクが供給可能に構成されている。また、本実施例では、使用量が多い黒色インクを収容するインク収容体４０（図２１参照）を格納した状態のインク収容体格納部１６Ａの方が複数の色のインクを色毎にそれぞれ収容するインク収容体（不図示）を格納した状態のインク収容体格納部１６Ｂよりも重くなるように構成されている。
【００３２】
＜＜＜スキャナ部の概要＞＞＞
続いて、スキャナ部１４の概要について説明する。スキャナ部１４は、上面に原稿を載置する原稿台１４ａ（破線部参照）を備えた読み取り機構部１４ｂと、読み取り機構部１４ｂに対して閉じた姿勢と開いた姿勢とを切換え可能な給送機構部１４ｃとを備えている。本実施例において図示しないが、給送機構部１４ｃは装置背面側の端部を回動支点として読み取り機構部１４ｂに対して回動可能に構成されている。
【００３３】
そして、給送機構部１４ｃを読み取り機構部１４ｂに対して開いた姿勢にすることにより、原稿台１４ａに原稿をセットすることが可能である。また、読み取り機構部１４ｂ内には原稿台１４ａにセットされた原稿の被読み取り面を読み取り可能な読み取り手段（不図示）が設けられている。また、給送機構部１４ｃは原稿セット部１４ｄにセットされた原稿を原稿排出トレイ１４ｅに向けて搬送可能に構成されており、原稿の搬送途中で原稿の被読み取り面を読み取り手段により読み取り可能に構成されている。
【００３４】
＜＜＜スキャナ部の回動動作について＞＞＞
また、図１に示すように、プリンター１０において、スキャナ部１４の読み取り機構部１４ｂの装置幅方向における両側面には、外装部材４２が取り付けられている。外装部材４２をスキャナ部１４の読み取り機構部１４ｂから取り外すことにより、記録機構部１２とスキャナ部１４との接続部が露出する（図３及び図４参照）。
【００３５】
図３に示すように、読み取り機構部１４ｂの装置幅方向における左側面（＋Ｘ軸方向側）の外装部材４２（図２１参照）を取り外すと、記録機構部１２とスキャナ部１４との接続部、より具体的には、スキャナ部１４を記録機構部１２に対して回動させるヒンジ部４４、４４が露出する。ヒンジ部４４は、スキャナ部１４を記録機構部１２に対して回動可能に記録機構部１２とスキャナ部１４とを連結している。
【００３６】
次いで、図４に示すように、読み取り機構部１４ｂの装置幅方向における右側面（−Ｘ軸方向側）の外装部材４２（図１）を取り外すと、記録機構部１２とスキャナ部１４との固定部４６ａ、４６ｂが露出する。本実施例では、スキャナ部１４の装置幅方向右側端部において、固定部４６ａは、装置奥行き方向前方寄りに設けられており、固定部４６ｂは装置奥行き方向後方寄りに設けられている。
【００３７】
本実施例において固定部４６ａ、４６ｂはスキャナ固定ねじ４８により記録機構部１２に固定されている。そして、スキャナ固定ねじ４８を緩めると、記録機構部１２に対する固定部４６ａ、４６ｂの固定状態を解消でき、ひいては記録機構部１２に対するスキャナ部１４の固定状態を解除できる。
【００３８】
そして、図５に示すように、スキャナ部１４をヒンジ部４４を回動支点として装置高さ方向上方側に回動させることができる。ここで、図５に示すように装置高さ方向において記録機構部１２と読み取り機構部１４ｂと間には、一端が読み取り機構部１４ｂに接続され、他端が記録機構部１２に接続されたリンク部５０が設けられている。
【００３９】
リンク部５０は第１リンク５０ａと第２リンク５０ｂとを備えている。本実施例において第１リンク５０ａと第２リンク５０ｂとは、互いに相対的に回動可能に接続されている。記録機構部１２に対してスキャナ部１４を閉じた状態（図１参照）では、第１リンク５０ａと第２リンク５０ｂとは互いに重なるように回動し、折り畳まれた状態（不図示）となっている。
【００４０】
そして、スキャナ部１４が記録機構部１２に対して回動すると、第１リンク５０ａと第２リンク５０ｂとが折り畳まれた状態から相対的に変位してリンク部５０が開いた状態、すなわち、第１リンク５０ａと第２リンク５０ｂとが直線状になった状態へと切り換わる（図５参照）。そして、スキャナ部１４が記録機構部１２に対して所定の角度まで回動すると、リンク部５０は、リンク部５０に設けられたロック手段によりロックされ、スキャナ部１４が所定の角度で記録機構部１２に対して開いた姿勢でスキャナ部１４を支持する。
【００４１】
＜＜＜記録機構部１２の構成について＞＞＞
次いで、図６ないし図２１を参照して記録機構部１２の構成について説明する。図６に示すように、記録機構部１２はメインアセンブリ体５４と、スキャナ部支持フレーム５６と、ボトムフレーム５８と、後述する外装部材１２０（図２１参照）と、を備えている。
【００４２】
メインアセンブリ体５４は、複数のフレーム部材が組み合わされた箱状の構造物（図７及び図８参照）として構成されている。そして、図６に示すようにメインアセンブリ体５４内にキャリッジ２４と、記録ヘッド２５と、搬送手段２６とが設けられている。また、メインアセンブリ体５４の外側の領域、本実施例では装置幅方向左側にスキャナ部支持フレーム５６が配置されている。
【００４３】
尚、以下の説明において各フレームは、金属材料、一例としてＳＰＣＣ、ＳＰＣＥ等の亜鉛めっき鋼板をプレス加工等の曲げ加工により形成している。また、各フレーム間は、具体的な接続方法について説明がない場合は、複数の締結部品、一例としてねじにより接続されている。
【００４４】
図７及び図８を参照するに、ボトムフレーム５８の上面には、メインアセンブリ体５４と、スキャナ部支持フレーム５６とが載置されて取り付けられている。ボトムフレーム５８は図９に示すように装置幅方向（図９におけるＸ軸方向）の中央領域に開口部５８ａが２箇所設けられている。これにより、ボトムフレーム５８単体のねじれ剛性が低下するが、弾性が向上する。そして、ボトムフレーム５８は、ボトムフレーム５８にメインアセンブリ体５４が接続された際、弾性によりメインアセンブリ体５４の底面形状に倣う。
【００４５】
メインアセンブリ体５４の上部には、上部フレームアセンブリ体６０（図９参照）が取り付けられている。本実施例では、メインアセンブリ体５４の上部に上部フレームアセンブリ体６０が取り付けられ、メインアセンブリ体５４の底部にボトムフレーム５８が取り付けられているので、装置幅方向（図９におけるＸ軸方向）及び装置奥行き方向（図９におけるＹ軸方向）における剛性を向上させることができる。
【００４６】
また、図７に示すようにスキャナ部支持フレーム５６の底部はボトムフレーム５８に接続され、スキャナ部支持フレーム５６の上部は上部フレームアセンブリ体６０に接続されている。すなわち、スキャナ部支持フレーム５６が装置幅方向に倒れようとする際、上部フレームアセンブリ体６０及びボトムフレーム５８を介してメインアセンブリ体５４に支持されて、装置幅方向への倒れを低減できる。
【００４７】
＜＜＜メインアセンブリ体の構成について＞＞＞
次いで、図１０ないし図１３を参照してメインアセンブリ体５４の構成について説明する。まず、図１１及び図１２を参照して、メインアセンブリ体５４の中核をなすフレーム基体部６１について説明する。フレーム基体部６１は、リア左フレーム６２、リア右フレーム６４、第１取付板６６、第２取付板６８、第３取付板７０、第４取付板７２、第１フレーム７６及び背面フレーム７８を備えている。
【００４８】
図１１に示すように、装置幅方向左側（図１１における＋Ｘ軸方向）にリア左フレーム６２が配置され、装置幅方向右側（図１１における−Ｘ軸方向）にリア右フレーム６４が配置されている。そして、リア左フレーム６２とリア右フレーム６４とは装置幅方向において間隔をおいて、対向している。リア左フレーム６２とリア右フレーム６４との間には、装置幅方向に延びる第１取付板６６、第２取付板６８、第３取付板７０、第４取付板７２とが配置されている。
【００４９】
図１２に示すように第１取付板６６は装置奥行き方向前面側においてリア左フレーム６２からリア右フレーム６４へ掛け渡されている。第２取付板６８は、装置奥行き方向前面側においてリア左フレーム６２からリア右フレーム６４へ掛け渡されている。第２取付板６８は、第１取付板６６の装置高さ方向下方側に位置している。第３取付板７０は装置奥行き方向背面側においてリア左フレーム６２からリア右フレーム６４へ掛け渡されている。
【００５０】
第４取付板７２は、図８に示すようにリア左フレーム６２からリア右フレーム６４へ掛け渡されている。そして、第４取付板７２は、装置奥行き方向において第２取付板６８の後方に位置している。また、リア右フレーム６４には、第１フレーム７６が第２取付板６８と反対側に取り付けられている。第１フレーム７６は、リア右フレーム６４において装置奥行き方向中央領域から背面側まで延びている。背面フレーム７８は、リア左フレーム６２の背面側に取り付けられている。そして、背面フレーム７８は、図１２に示すようにリア左フレーム６２から装置幅方向左方（図１２における＋Ｘ軸方向）に突出している。
【００５１】
更に、図１２を参照するに、フレーム基体部６１の装置前面側には、メインフレーム８０と、フロント左フレーム８２と、フロント右フレーム８４と、第５取付板８６と、フロントフレーム下８８とが配置されている。第５取付板８６及びフロントフレーム下８８は、装置幅方向に延設された板状部材として構成されている
【００５２】
図１３を参照するに、装置幅方向に延びるメインフレーム８０は図１２に示すフレーム基体部６１の装置奥行き方向前面側に取り付けられている。そして、メインフレーム８０の装置奥行き方向前面側には、フロント左フレーム８２とフロント右フレーム８４とが装置幅方向に間隔をおいて互いに対向した状態で取り付けられている。
【００５３】
第５取付板８６は、互いに対向するフロント左フレーム８２及びフロント右フレーム８４においてフロント左フレーム８２からフロント右フレーム８４へ掛け渡されている。本実施例において、第５取付板８６は図１３に示すようにフロント左フレーム８２及びフロント右フレーム８４の上端部寄りに位置している。フロントフレーム下８８は、互いに対向するフロント左フレーム８２及びフロント右フレーム８４においてフロント左フレーム８２からフロント右フレーム８４へ掛け渡されている。
【００５４】
更に、図１３を参照して、フレーム基体部６１には、左フレーム９０と、右フレーム９２と、フロントフレーム９４と、サブフロントフレーム９６と、フロントフレーム左９８と、フロントフレーム右１００とが取り付けられる。
【００５５】
左フレーム９０は、リア左フレーム６２及びフロント左フレーム８２の少なくとも一部に対向する基体部９０ａと、基体部９０ａと交差する方向、より具体的には装置幅方向に延びる側壁部９０ｂとを備えている。
【００５６】
図８及び図１０を参照するに、左フレーム９０は、基体部９０ａをフロント左フレーム８２に対向させた状態で、側壁部９０ｂがリア左フレーム６２に取り付けられている。左フレーム９０の装置奥行き方向前面側端部とフロント左フレーム８２の装置奥行き方向前面側端部とは、フロントフレーム左９８により接続されている。
【００５７】
また、右フレーム９２は、装置奥行き方向中央領域から背面側まで延びる第１フレーム７６に接続されている。そして、右フレーム９２の装置奥行き方向前面側端部とフロント右フレーム８４の装置奥行き方向前面側端部とは、フロントフレーム右１００により接続されている。
【００５８】
図１０を参照するにフロントフレーム９４は装置幅方向に延設されている。フロントフレーム９４は、左フレーム９０の装置奥行き方向前面側端部と右フレーム９２の装置奥行き方向前面側端部と接続している。そして、フロントフレーム９４は、装置高さ方向においてフロント左フレーム８２及びフロント右フレーム８４よりも上方に位置している。
【００５９】
また、サブフロントフレーム９６は、図１０及び図１３に示すように本実施例において略三角形状の板状部材として形成されている。そして、サブフロントフレーム９６は、左フレーム９０の基体部９０ａの上部と、フロントフレーム９４の左フレーム９０寄りの端部の上部とを接続している。これにより、各フレーム部材がフレーム基体部６１を中核に組み上げられ、メインアセンブリ体５４（図１０参照）を構成する。
【００６０】
尚、フレーム基体部６１の組立からメインアセンブリ体５４の組立完了まで組立治具を用いて、装置奥行き方向、装置幅方向及び装置高さ方向の位置だしを行いつつ、組立を行っている。特に、リア左フレーム６２、リア右フレーム６４、左フレーム９０及び右フレーム９２の底部には、装置高さ方向における複数の高さ方向基準部（不図示）が設けられている。そして、これらの高さ方向基準部の装置高さ方向における位置が略同じになるようにメインアセンブリ体５４は組み立てられている。
【００６１】
ここで、再度図２及び図６を参照して、メインアセンブリ体５４と、キャリッジ２４、記録ヘッド２５及び搬送手段２６（図２参照）との関係について説明する。キャリッジ２４は、装置幅方向に延びるガイド軸１０２（図６参照）に軸支されるとともにメインフレーム８０に支持されている。ガイド軸１０２は、一端が左フレーム９０に支持され、他端が右フレーム９２に支持されている。また、キャリッジ２４を装置幅方向に駆動させる駆動モータ（不図示）もメインフレーム８０においてキャリッジ２４と対向する面と反対側の面に取り付けられている。
【００６２】
また、搬送駆動ローラー３６ａ及び排出駆動ローラー３８ａの一端は、それぞれ左フレーム９０に対して回転自在に取り付けられている。また、搬送駆動ローラー３６ａ及び排出駆動ローラー３８ａの一端は、それぞれフロント右フレーム８４に対して回転自在に取り付けられている。また、搬送駆動ローラー３６ａ及び排出駆動ローラー３８ａを回転駆動させる駆動モーター１０４（図６参照）と、駆動モーター１０４から駆動力を搬送駆動ローラー３６ａ及び排出駆動ローラー３８ａに伝達する伝達手段１０６（図６参照）とは、リア左フレーム６２に取り付けられている。
【００６３】
＜＜＜スキャナ部支持フレームについて＞＞＞
次いで図１４ないし図２１を参照して、スキャナ部支持フレーム５６について説明する。図１４ないし図１６を参照するに、スキャナ部支持フレーム５６は、装置高さ方向下方側が開口している枠状体として構成されている。より具体的には、本実施例においてスキャナ部支持フレーム５６は、装置高さ方向に延びる一対の側部フレーム１０８、１０８と、装置奥行き方向に延びる上部フレーム１１０と、ヒンジ取付フレーム１１２とを備えている。
【００６４】
図１４及び図１５を参照するに、本実施例においてスキャナ部支持フレーム５６は、装置奥行き方向（図１４及び図１５におけるＹ軸方向）に間隔をおいて配置された一対の側部フレーム１０８、１０８の上端に、上部フレーム１１０が掛け渡されて構成されている。そして、上部フレーム１１０にヒンジ取付フレーム１１２が取り付けられている。本実施例において、スキャナ部支持フレーム５６は、装置幅方向に開口する開口部５６ａを有する枠状部材として構成されている。
【００６５】
図１６を参照するに側部フレーム１０８は、装置高さ方向（側部フレーム１０８の長手方向）に延びる基体部１０８ａと、基体部１０８ａの装置奥行き方向（側部フレーム１０８の短手方向）における両端部から装置幅方向に突出する一対の側壁部１０８ｂ、１０８ｂとを備えている。本実施例において、基体部１０８ａと側壁部１０８ｂ、１０８ｂとは一体に構成されている。例えば、側部フレーム１０８は、プレス成形等の曲げ加工や、押し出し加工により形成されたコの字状のアングル部材等により構成することができる。
【００６６】
側壁部１０８ｂの装置高さ方向下部は、ボトムフレーム５８に側部フレーム１０８を取り付けるための取付部１０８ｃとして構成されている。本実施例において取付部１０８ｃの装置幅方向（図１６におけるＸ軸方向）の幅は側壁部１０８ｂの装置高さ方向上部の幅に比べて広く形成されている。また、取付部１０８ｃの下端にはフック部１０８ｄが形成されている。
【００６７】
図１７を参照するに、側部フレーム１０８の下端部はボトムフレーム５８に接続されている。側部フレーム１０８の基体部１０８ａは、ボトムフレーム５８から装置高さ方向上方に突出した側部フレーム取付部５８ｂにねじ１１４により取り付けられている。さらに、取付部１０８ｃのフック部１０８ｄは、ボトムフレーム５８の上面に設けられた掛止部５８ｃ（図１７参照）に掛止されている。
【００６８】
次いで、図１８を参照するに、ボトムフレーム５８に接続されたスキャナ部支持フレーム５６において装置奥行き方向前面側に配置された側部フレーム１０８は、メインアセンブリ体５４のフロントフレーム９４にねじ１１６により接続されている。
【００６９】
次いで、図１９を参照するに、ボトムフレーム５８に接続されたスキャナ部支持フレーム５６において装置奥行き方向背面側に配置された側部フレーム１０８は、メインアセンブリ体５４の背面フレーム７８にねじ１１８、１１８により接続されている。したがって、本実施例においてスキャナ部支持フレーム５６はボトムフレーム５８に接続されているだけでなく、メインアセンブリ体５４にも接続されている。
【００７０】
ここで、図５を再度参照するに、スキャナ部１４の回動支点であるヒンジ部４４、４４は、スキャナ部支持フレーム５６のヒンジ取付フレーム１１２に取り付けられている。つまり、メインアセンブリ体５４は、スキャナ部１４を直接支持していない構造となっている。また、スキャナ部１４はメインアセンブリ体５４の装置高さ方向上方に位置している。
【００７１】
そして、スキャナ部１４が記録機構部１２に対して閉じた姿勢（図１参照）から装置高さ方向上方側に回動した姿勢（図５参照）では、スキャナ部１４の開閉動作に伴う荷重をメインアセンブリ体５４ではなく、スキャナ部支持フレーム５６が受けることとなる。
【００７２】
したがって、スキャナ部１４の開閉動作に伴う荷重をメインアセンブリ体５４が直接受けず、その結果メインアセンブリ体５４の変形を抑制することができる。これにより、メインアセンブリ体５４内に配置される記録ヘッド２５及び搬送手段２６は、スキャナ部１４の記録機構部１２に対する開閉動作により受ける影響を低減でき、良好な記録品質を維持できる。
【００７３】
図２０及び図２１を参照するに、本実施例において記録機構部１２の装置幅方向左側側面を覆い、記録機構部１２の外観の一部を構成する外装部材１２０が、スキャナ部支持フレーム５６に着脱可能に取り付けられている。外装部材１２０は、本実施例において一例として樹脂材料等により形成されている。外装部材１２０には、複数の開口部１２０ａが設けられている。
【００７４】
また、スキャナ部支持フレーム５６には装置幅方向左方向に突出する複数の凸部１２２が設けられている。そして、スキャナ部支持フレーム５６に外装部材１２０を取り付ける際、凸部１２２に開口部１２０ａを通すことによりスキャナ部支持フレーム５６に対する外装部材１２０の位置決めがなされる。
【００７５】
また、外装部材１２０がスキャナ部支持フレーム５６に取り付けられた状態、すなわち、開口部１２０ａに凸部１２２が通された状態で、凸部１２２にインク収容体格納部１６Ａが取り付けられる。つまり、インク収容体格納部１６Ａは、外装部材１２０にではなく、スキャナ部支持フレーム５６に取り付けられている。
【００７６】
また、インク収容体格納部１６Ａには、インク収容体４０を着脱可能に保持するコネクタ部１２４（図２０参照）が設けられている。本実施例においてコネクタ部１２４にインク収容体４０を取り付けることで、インク収容体４０から記録ヘッド２５にインク収容体４０に収容されている黒インクが供給される。尚、図２０及び図２１においてインク収容体格納部１６Ａのカバーの一部の図示を省略している。
【００７７】
図２１に示すように、コネクタ部１２４にインク収容体４０が取り付けられた状態では、インク収容体格納部１６Ａ及びインク収容体４０を外装部材１２０ではなく、スキャナ部支持フレーム５６が支持している。したがって、外装部材１２０には、インク収容体格納部１６Ａ及びインク収容体４０の重さが作用しないので、構成を簡素化でき、外装部材１２０の軽量化を図ることができる。
【００７８】
また、本実施例では、インク収容体格納部１６Ｂよりも重いインク収容体格納部１６Ａをスキャナ部支持フレーム５６に支持させているので、メインアセンブリ体５４が受ける重さを低減でき、メインアセンブリ体５４の変形を抑制できる。
【００７９】
＜＜＜実施例の変更例＞＞＞
（１）本実施例では、スキャナ部支持フレーム５６をメインアセンブリ体５４の装置幅方向左方向側に設ける構成としたが、この構成に代えて、装置幅方向右側に設ける構成としてもよい。この場合では、ヒンジ部４４は装置幅方向右側に設けられる。
（２）本実施例においてスキャナ部１４は記録機構部１２に対して装置幅方向右側端部を自由端として回動する構成としたが、この構成に代えて、装置幅方向左側端部を自由端として回動する構成としてもよく、装置奥行き方向前面側あるいは背面側を自由端として回動する構成としてもよい。
（３）また、スキャナ部支持フレーム５６をメインアセンブリ体５４の装置幅方向左方向及び右方向に設けて、スキャナ部１４を一方のスキャナ部支持フレーム５６にヒンジ部４４を設け、他方のスキャナ部支持フレーム５６と固定部４６ａ、４６ｂとを接続する構成としてもよい。すなわち、スキャナ部１４を記録機構部１２に対して閉じた姿勢とした際、２つのスキャナ部支持フレーム５６によりスキャナ部１４の重量を支える構成としてもよい。
（４）本実施例において、側部フレーム１０８の側壁部１０８ｂと側壁部１０８ｂとの間には配線等を施していないが、この構成に代えて、側壁部１０８ｂと側壁部１０８ｂとの間には配線等を施してもよい。
（５）本実施例においてスキャナ部１４には、給送機構部１４ｃを設ける構成としたが、この構成に代えて、「開閉部」としてのカバー部材を設ける構成としてもよい。
（６）本実施例において、記録機構部１２の装置幅方向両側にインク収容体格納部１６Ａ、１６Ｂを設ける構成としたが、この構成に代えて、インクを収容するインク収容体をキャリッジ２４に設ける構成としてもよく、記録機構部１２内に設ける構成としてもよい。
【００８０】
上記説明をまとめると、プリンター１０は、被記録媒体Ｐに記録を行う記録ヘッド２５を備える記録機構部１２と、記録機構部１２の上部において記録機構部１２に対し回動可能に連結され、回動することにより記録機構部１２の上部を開閉するスキャナ部１４と、を備えている。記録機構部１２は、複数のフレームが接続されて成るメインアセンブリ体５４と、メインアセンブリ体５４より外側の領域に配置され、スキャナ部１４が回動可能に連結されるとともにスキャナ部１４を支持するスキャナ部支持フレーム５６と、スキャナ部支持フレーム５６に配置され、記録機構部１２の外観を構成する外装部材１２０と、を備えて成る。
【００８１】
上記構成によれば、記録機構部１２は、複数のフレームが接続されて成るメインアセンブリ体５４と、メインアセンブリ体５４より外側の領域に配置され、スキャナ部１４が回動可能に連結されるとともにスキャナ部１４を支持するスキャナ部支持フレーム５６と、スキャナ部支持フレーム５６の外側に配置され、記録機構部１２の外観を構成する外装部材１２０と、を備えて成る為、スキャナ部１４の開閉に伴う荷重をスキャナ部支持フレーム５６が受けることとなり、その結果、スキャナ部１４の開閉に伴う外装部材１２０の変形を抑制し、或いは防止することができる。また同様に、スキャナ部１４の開閉に伴うメインアセンブリ体５４の変形を抑制し、或いは防止することができる。
【００８２】
スキャナ部支持フレーム５６は、開口部５６ａを有する枠状体として構成されている。この構成によれば、開口部５６ａを介して装置内部のメンテナンスを行うことができ、即ち装置のメンテナンス性が向上する。
【００８３】
メインアセンブリ体５４は、被記録媒体Ｐを搬送する搬送手段２６及び記録ヘッド２５を備えている。この構成によれば、スキャナ部１４の開閉に伴う荷重がメインアセンブリ体５４に加わらず、或いは加わってもその影響を抑制できる結果、スキャナ部１４の開閉に拘わらず、良好な記録品質を維持することができる。
【００８４】
記録機構部１２は、メインアセンブリ体５４が載置される、メインアセンブリ体５４の下側に設けられるボトムフレーム５８を備え、スキャナ部支持フレーム５６は、下端部がボトムフレーム５８に支持される。
【００８５】
この構成によれば、記録機構部１２は、メインアセンブリ体５４を載置する、メインアセンブリ体５４の下側に設けられるボトムフレーム５８を備え、スキャナ部支持フレーム５６は、下端部がボトムフレーム５８に支持されるので、より確実に、スキャナ部１４の開閉に伴う荷重の、メインアセンブリ体５４への影響を抑制できる。
【００８６】
ボトムフレーム５８は、メインアセンブリ体５４の底面形状に倣う弾性を有する。この構成によれば、ボトムフレーム５８の部品精度がメインアセンブリ体５４に悪影響を及ぼさず、或いは悪影響を抑制できる。その結果、良好な記録品質を得ることができる。
【００８７】
記録機構部１２は、記録ヘッド２５から被記録媒体Ｐに向けて吐出するインクを収容するインク収容体４０を備え、インク収容体４０は、スキャナ部支持フレーム５６に支持される。この構成によれば、重量物であるインク収容体４０がスキャナ部支持フレーム５６に支持されることで、インク収容体４０を外装部材１２０で支持する構成に比して、外装部材１２０を軽量化できる。
【００８８】
スキャナ部１４は、原稿を読み取る読み取り機構部１４ｂと、読み取り機構部１４ｂに原稿を自動給送する給送機構部１４ｃとを備えて成る。
【００８９】
また、本実施形態では本発明に係るスキャナ部支持フレーム５６を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９０】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９２】
１０…プリンター、１２…記録機構部、１４…スキャナ部、１４ａ…原稿台、１４ｂ…読み取り機構部、１４ｃ…給送機構部、１４ｄ…原稿セット部、１４ｅ…原稿排出トレイ、１６Ａ、１６Ｂ…インク収容体格納部、１８…媒体収容部、２０…排出口、２２…排出トレイ、２４…キャリッジ、２５…記録ヘッド、２６…搬送手段、２８…給送ローラー、３０…第１搬送ローラー、３２…第２搬送ローラー、３４…搬送従動ローラー、３６…搬送ローラー対、３６ａ…搬送駆動ローラー、３６ｂ…搬送従動ローラー、３８…排出ローラー対、３８ａ…排出駆動ローラー、３８ｂ…排出従動ローラー、４０…インク収容体、４２、１２０…外装部材、４４…ヒンジ部、４６ａ、４６ｂ…固定部、４８…スキャナ固定ねじ、５０…リンク部、５０ａ…第１リンク、５０ｂ…第２リンク、５４…メインアセンブリ体、５６…スキャナ部支持フレーム、５６ａ、５８ａ…開口部、５８…ボトムフレーム、５８ｂ…側部フレーム取付部、５８ｃ…掛止部、６０…上部フレームアセンブリ体、６１…フレーム基体部、６２…リア左フレーム、６４…リア右フレーム、６６…第１取付板、６８…第２取付板、７０…第３取付板、７２…第４取付板、７６…第１フレーム、７８…背面フレーム、８０…メインフレーム、８２…フロント左フレーム、８４…フロント右フレーム、８６…第５取付板、８８…フロントフレーム下、９０…左フレーム、９０ａ、１０８ａ…基体部、９０ｂ、１０８ｂ…側壁部、９２…右フレーム、９４……フロントフレーム、９６……サブフロントフレーム、９８……フロントフレーム左、１００…フロントフレーム右、１０２…ガイド軸、１０４…駆動モーター、１０６…伝達手段、１０８…側部フレーム、１０８ｃ…取付部、１０８ｄ…フック部、１１０…上部フレーム、１１２…ヒンジ取付フレーム、１１４、１１６、１１８…ねじ、１２０ａ…開口部、１２２…凸部、１２４…コネクタ部、Ｐ…被記録媒体
【図１】
2017121713.tif 000003
【図２】
2017121713.tif 000004
【図３】
2017121713.tif 000005
【図４】
2017121713.tif 000006
【図５】
2017121713.tif 000007
【図６】
2017121713.tif 000008
【図７】
2017121713.tif 000009
【図８】
2017121713.tif 000010
【図９】
2017121713.tif 000011
【図１０】
2017121713.tif 000012
【図１１】
2017121713.tif 000013
【図１２】
2017121713.tif 000014
【図１３】
2017121713.tif 000015
【図１４】
2017121713.tif 000016
【図１５】
2017121713.tif 000017
【図１６】
2017121713.tif 000018
【図１７】
2017121713.tif 000019
【図１８】
2017121713.tif 000020
【図１９】
2017121713.tif 000021
【図２０】
2017121713.tif 000022
【図２１】
2017121713.tif 000023